(57)【特許請求の範囲】
【請求項１】
電線の切断作業及び接続作業に用いるための電線保持工具であって、第１の電線保持部材と第２の電線保持部材とが伸縮機構を介して接近離隔自在に設けられ、
前記第１の電線保持部材は前記伸縮機構（ｃ）に固定され、
前記第２の電線保持部材（ｂ）は、伸縮側クランプ本体（１０）に螺合された伸縮側プラグ（１２）を該伸縮側プラグに差し込まれる回転スティック（Ｓ）を用いて回転することによって移動される伸縮側クランプ駒（１１）と前記伸縮側クランプ本体（１０）とで電線を挟み込んで電線（３０）を締め付け固定する開閉自在のクランプ機構をなし、しかも、前記伸縮側クランプ本体（１０）に回転可能に設けられた回転プラグ（１３）を回転スティック（Ｓ）を用いて回転させることで、前記回転プラグ（１３）に設けられているウォーム（１９）と前記伸縮機構（ｃ）に形成されたウォームホイール（１８）との噛み合いによって、第１の電線保持部材と第２の電線保持部材とが接近離隔する方向の軸線（Ｏ）回りに回転可能に設けられ、
この第２の電線保持部材（ｂ）において、前記伸縮側プラグ（１２）及び前記回転プラグ（１３）は互いに隣り合うように突設されていることを特徴とする電線保持工具。
【請求項２】
前記伸縮機構は、伸縮アーム（９）と、該伸縮アーム（９）を内部に移動自在に挿入した本体アーム（７）とによって伸縮自在に構成され、
前記第１の電線保持部材は前記本体アーム（７）に固定され、前記第２の電線保持部材は前記軸線（Ｏ）回りに回転可能なように前記伸縮アーム（９）に設けられていることを特徴とする請求項１記載の電線保持工具。
【請求項３】
前記本体アーム（７）の長手方向中央部付近に、ヤットコで把持するためのヤットコ把持部（６）が形成されていることを特徴とする請求項２記載の電線保持工具。
【請求項４】
第１の電線保持部材は、開閉自在に構成されたクランプ機構により電線を把持することを特徴とする請求項１から３いずれか記載の電線保持工具。
【請求項５】
第１の電線保持部材、第２の電線保持部材及び伸縮機構は、少なくともこれらの外表面が絶縁性材料により形成されていることを特徴とする請求項１から４のいずれか記載の電線保持工具。
【発明の詳細な説明】
【０００１】
【発明の属する技術分野】
本発明は、電線の切断作業および接続作業、例えば６．６ｋＶ架空配電線路における電線引留箇所および中間切分箇所を間接活線工法により切断作業および接続作業を行う際に使用する電線保持工具に関するものである。
【０００２】
【従来の技術】
電線の切断作業及び接続作業の一例として、６．６ｋＶ架空配電線路における電線引留箇所および中間切分箇所の工事について説明する。
これまで、こうした高圧電線の架空配電線工事は直接活線工法により行われていた。この工法においては、作業者は感電事故防止のためゴム手袋、電気用絶縁衣等の保護具を着用し、また、工事を行う電気回路の充電部、支持物等には、電気絶縁管、電気絶縁シート等の防具を装着していた。こうした保護具または防具は、例えばＪＩＳ  Ｔ  ８０１０に制定されるものが挙げられる。
現在は、作業環境の改善、安全性の向上、作業効率の向上等を図るために、作業者の手の代用として使用する操作棒（絶縁性のヤットコ、回転スティック等）を用いた間接活線工法が導入され、全面的移行が行われている。
【０００３】
架空配電線工事を行う箇所を、図９（ａ）及び図９（ｂ）に示す。図９（ａ）は電線引留箇所を、図９（ｂ）は中間切分箇所分箇所を示す。図９（ａ）における電線（縁回し線）３０が、図９（ｂ）においては電線（縁回し線）３０ａと３０ｂに切り分けられている。
こうした箇所における通常の架空配電線工事は、高所作業車両を用いて行われ、バケットには作業者２名が乗り込んで行われる。
間接活線工法による従来の電線引留箇所における基本的な電線の切断作業及び接続作業は下記の通りである。また、主に作業を行う電線サイズは、ＯＣ６０、１５０ｍｍ2である。
【０００４】
電線の切断作業にあっては、先ず、切断する箇所の両側を電線接続後の跳ね上がりを防止するために、作業者それぞれがヤットコで電線を把持する。次に、作業者どちらか一方が、ヤットコで電線を片手で把持した状態のまま、もう片方の手で油圧式カッター等の切断工具を切断箇所にアプローチし、切断する。その次に、切断した電線端部が干渉しないように、電線をヤットコで把持して、電線長手方向に対して左右それぞれの電線端部を振分け、くせ付けする。
【０００５】
電線の接続作業にあっては、先ず、どちらか一方の作業者が片方の電線端部をヤットコで把持して固定する。
次に、もう一方の作業者が圧縮スリーブをヤットコで把持して、固定している電線端部に差し込み、その状態で固定する。
どちらか一方の作業者が、もう片方の手で圧縮工具をスリーブ圧縮部にアプローチし、電線に差し込んだ方から規定回数圧縮する。
圧縮工具を一旦降ろし、もう片方の電線端部をヤットコで把持して引き寄せ、両作業者が協力し合い位置を合わせて未圧着側のスリーブに差し込む。
どちらか一方の作業者が、もう片方の手で圧縮工具をスリーブ圧縮部にアプローチし、電線に差し込んだ方から規定回数圧縮し、接続を完了する。
【０００６】
【発明が解決しようとする課題】
こうした従来の作業では、切断した電線両端部を支持、固定するものがないため、非常に不安定な状態となり、他の支持物等への接触の危険性がある。他の支持物等への接触を防止するためには、間接割線工法用の防具が必要となるため作業時間が増大し、作業コストも増大する。
また、作業者がヤットコで電線を把持、固定しながら切断、接続の作業を行わなければならない。そのため、二人の作業者のうちどちらかは、ヤットコの他に油圧式カッター工具や油圧式圧縮工具等を操作する複合作業となる。こうした工具は重量が重く、片手での操作は非常に重労働であるとともに、作業者の自由度が制限される不安定な作業であるため、作業効率が非常に悪い。
更に、接続作業の場合、電線端部に圧着スリーブを差し込む等の細かい作業が要求さる。そのため、ヤットコ操作の熟練を要するとともに、作業者同士の十分な訓練も必要とされ、作業者の熟練度によって、作業内容にバラツキが生じていた。
【０００７】
本発明は、上記の事情に鑑みてなされたもので、電線の切断及び接続作業において、作業者の安全確保及び負担軽減を図るとともに、統一的で安定した作業を実現し、作業効率を向上させることができる電線保持工具を提供することを目的とする。
【０００８】
【課題を解決するための手段】
請求項１記載の発明は、電線の切断作業及び接続作業に用いるための電線保持工具であって、第１の電線保持部材と第２の電線保持部材とが伸縮機構を介して接近離隔自在に設けられ、前記第１の電線保持部材は前記伸縮機構に固定され、前記第２の電線保持部材は、伸縮側クランプ本体に螺合された伸縮側プラグを該伸縮側プラグに差し込まれる回転スティックを用いて回転することによって移動される伸縮側クランプ駒と前記伸縮側クランプ本体とで電線を挟み込んで電線を締め付け固定する開閉自在のクランプ機構をなし、しかも、前記伸縮側クランプ本体に回転可能に設けられた回転プラグを回転スティックを用いて回転させることで、前記回転プラグに設けられているウォームと前記伸縮機構に形成されたウォームホイールとの噛み合いによって、第１の電線保持部材と第２の電線保持部材とが接近離隔する方向の軸線回りに回転可能に設けられ、 この第２の電線保持部材において、前記伸縮側プラグ及び前記回転プラグは互いに隣り合うように突設されていることを特徴とする。
【０００９】
このように構成したことで、第１の電線保持部材及び第２の電線保持部材とで電線を保持しておき、これら保持された部分の間の電線を切断して、切断された電線の端部同士を接近離隔自在とできる。そのため、電線の切断から接続までの一連の作業中において、この電線保持工具によって電線を保持しておける。
【００１１】
また、このように構成したことで、切断された電線の端部同士を、電線の配索方向をずらして確実に離隔させることができる。そのため、活線のまま切断された電線であっても、電線の端部同士あるいは電線の端部と他の構造物とが接触する危険を回避できる。
【００１３】
また、このように構成したことで、電線保持部材のうち少なくともいずれか一方に回動するような機構を設けておけば、電線の配索方向をずらすことができる。そのため、装置構成を複雑化することなく、切断された電線の端部同士を確実に離隔させることができる。
請求項２記載の発明は、請求項１記載の電線保持工具であって、前記伸縮機構は、伸縮アームと、該伸縮アームを内部に移動自在に挿入した本体アームとによって伸縮自在に構成され、前記第１の電線保持部材は前記本体アームに固定され、前記第２の電線保持部材は前記軸線回りに回転可能なように前記伸縮アームに設けられていることを特徴とする。
請求項３記載の発明は、請求項２記載の電線保持工具であって、前記本体アームの長手方向中央部付近に、ヤットコで把持するためのヤットコ把持部が形成されていることを特徴とする。
このように構成したことで、伸縮機構の装置構成を複雑化させることなく、強固で信頼性の高いものとできる。そのため、電線保持部材同士を正確に且つ安定して接近離隔させることができ、切断された電線の端部同士をその長手方向に確実に離隔させることができる。
【００１４】
請求項４記載の発明は、請求項１から３いずれか記載の電線保持工具であって、第１の電線保持部材は、開閉自在に構成されたクランプ機構により電線を把持することを特徴とする。
【００１５】
このように構成したことで、電線保持部材により電線を強固に且つ確実に把持することができる。そのため、切断された電線がその長手方向に移動して、電線の端部同士あるいは電線の端部と他の構造物とが接触するような事故を回避できる。
【００１８】
請求項５記載の発明は、請求項１から４いずれか記載の電線保持工具であって、第１の電線保持部材、第２の電線保持部材及び伸縮機構は、少なくともこれらの外表面が絶縁性材料により形成されていることを特徴とする。
【００１９】
このように構成したことで、切断した電線の端部同士が本電線保持工具を介して導通するような事故を回避できる。
【００２０】
【発明の実施の形態】
以下、本発明に係る電線保持工具の実施形態を、図１乃至図８に基づいて説明する。
図１（ａ）及び図１（ｂ）に示すように、本実施形態に係る電線保持工具は、固定側クランプ（第１の電線保持部材）ａ、伸縮側クランプ（第２の電線保持部材）ｂ、及び伸縮機構ｃからなる。
固定側クランプａは、固定側プラグ２、固定側クランプ駒３、固定側クランプ本体４を備えている。
伸縮側クランプｂは、伸縮側クランプ本体１０、伸縮側クランプ駒１１、伸縮側プラグ１２、回転プラグ１３、回転ギヤボックス１４を備えている。
伸縮機構ｃは、本体ギヤボックス５、本体アーム７、伸縮アーム９を備えている。
【００２１】
固定側クランプａは、クランプ機構をなしている。固定側クランプ本体４に螺合された固定側プラグ２を回転することによって固定側クランプ駒３を上昇、下降（図１（ｂ）中Ａ−Ｂ方向に移動）させるようになっている。固定側クランプ本体４と固定側クランプ駒３で電線を挟み込んで、電線と本電線保持工具を締め付け固定するものである。この固定側クランプａは、本体アーム７にネジ止め固定されている。
【００２２】
伸縮側クランプｂも、固定側クランプａと同様なクランプ機構をなしている。図１（ｂ）に示すように、伸縮側クランプ本体１０に螺合された伸縮側プラグ１２を回転することによって伸縮側クランプ駒１１をＡ−Ｂ方向に移動させるようになっている。つまり、伸縮側クランプ駒１１が上昇、下降することにより、伸縮側クランプ本体１０と伸縮側クランプ駒１１で電線を挟み込んで、電線（縁回し線３０）と本電線保持工具を締め付け固定するものである。
伸縮側クランプｂは、軸線Ｏ回りに回転可能なように伸縮アーム９に設けられている。伸縮側クランプ本体１０は、回転ギヤボックス１４も兼ねた構造となっている。この回転ギヤボックス１４には、回転プラグ１３が回転可能に設けられている。この回転プラグ１３を回転させることによって、伸縮側クランプｂは軸線Ｏの回りを伸縮アーム９に対して３６０度回転できるようになっている。
【００２３】
伸縮機構ｃは、伸縮アーム９と、この伸縮アーム９を内部に移動自在に挿入した本体アーム７とによって伸縮自在に構成されている。すなわち、伸縮アーム９は本体アーム７内に収納できるように構成されている。
本体ギヤボックス５は、本体アーム７と一体となっており、伸縮アーム９を軸線Ｏに沿って移動させるためのアーム伸縮プラグ１を回転可能に支持している。
本体アーム７の長手方向の中央部付近には、ヤットコ把持部６が形成されており、本電線保持工具を絶縁ヤットコ等で把持できるようになっている。
伸縮アーム９には、伸縮アーム９が本体アーム７に対し最大限移動した場合、すなわち本電線保持工具が最大限に伸長した場合に、そのことを示すためのストロークエンド表示８が設けられている。
【００２４】
次に、図２を用いて本電線保持工具が伸縮する機構について、また、図３を用いて伸縮側クランプｂが回転する機構について、各々説明する。なお、図２においては、固定側クランプａの図示は省略している。
図２に示すように、アーム伸縮プラグ１にはかさ歯車１５ａが設けられており、これらは一体に回転するようになっている。
本体アーム７の内部には、かさ歯車１５ｂと一体となったねじ棒１６が、軸線Ｏ回りに本体アーム７に対して回転可能に設けられている。このねじ棒１６には、伸縮アーム９に設けられた雌ねじ１７が螺合している。かさ歯車１５ｂは、かさ歯車１５ａと噛み合わさっており、これによりアーム伸縮プラグ１の回転がねじ棒１６に伝えられるようになっている。
【００２５】
アーム伸縮プラグ１を回転スティックＳで回転すると、かさ歯車１５ａとかさ歯車１５ｂによって回転方向は約９０度変換されて、ねじ棒１６に回転が伝えられる。ねじ棒１６が回転することにより、ねじ棒１６に螺合した雌ねじ１７を介して、伸縮アーム９は軸線Ｏに沿った方向に、すなわちＣ−Ｄ方向に移動する。こうして、本電線保持工具は軸線Ｏに沿った方向に伸縮することができる。
【００２６】
図３に示すように、回転プラグ１３にはウォーム１９が設けられており、これらは一体となって回転するようになっている。ウォーム１９は、伸縮アーム９に形成されたウォームホイール１８と噛み合わさっている。
【００２７】
回転プラグ１３を回転スティックＳで回転すると、ウォーム１９とウォームホイール１８は噛み合わさっているため、回転プラグ１３及びウォーム１９は軸線Ｏ回りを伸縮アーム９に対してＥ−Ｆ方向に回転する。こうして、伸縮側クランプｂは軸線Ｏの回りを回転することができる。
【００２８】
本電線保持工具を形成する上記各部材には、樹脂材料を採用し、優れた耐候性、電気絶縁性能、機械的強度を確保できるとともに、軽量化を図っている。この樹脂材料としては、例えばフェノール樹脂などの熱硬化性樹脂が挙げられる。
【００２９】
次に、本実施形態に係る電線保持工具を用いた６．６ｋＶ架空配電線の電線引留箇所および中間切分箇所における基本的な作業手順について、図４乃至図８を参照しながら説明する。なお、特記した場合のみ各図面を参照するものとする。この作業手順は、縁回し線の皮剥ぎ、本電線保持工具の取り付け、縁回し線の切断及び切分け、縁回し線の接続及び本電線保持工具の取り外し、絶縁カバーの取り付けの５つの手順からなる。
【００３０】
［縁回し線の皮剥ぎ］
縁回し線３０の中間部分を、接続するスリーブの長さに合わせて既存の皮剥ぎ工具を用いて皮剥ぎする。
【００３１】
［本電線保持工具の取り付け］
図４に示すように、電線保持工具の中央部のヤットコ把持部６を絶縁ヤットコＴで把持した状態で、縁回し線３０の皮剥ぎ部３１が電線保持工具の中央にくる位置にアプローチする。
縁回し線３０にアプローチした状態で、固定側クランプａ、伸縮側クランプｂの順にそれぞれ縁回し線３０に締め付け固定する。固定側クランプａの固定側プラグ２、伸縮側クランプｂの伸縮側プラグ１２に各々回転スティックＳを差し込んで回転させることにより行う。この様子を図６に示す。この図においては伸縮側クランプｂの締め付け固定のみ示しているが、固定側クランプａの締め付け固定も伸縮側クランプｂと同様に行われる。
【００３２】
［縁回し線の切断及び切分け］
本電線保持工具を取り付けた状態で、皮剥ぎ部３１の中間を既存の切断具（油圧カッター等）で切断する。これにより、縁回し線３０は、固定側クランプａに把持された縁回し線３０ａと伸縮側クランプｂに把持された縁回し線３０ｂに切り分けられる。
縁回し線３０の切断後、図５に示すように、アーム伸縮プラグ１を回転スティックＳで回転し、伸縮アーム９のストロークエンド表示８が見えるまで本電線保持工具を伸長する。こうすることで、縁回し線３０ａの端部３１ａと縁回し線３０ｂの端部３１ｂの離隔を確保する。
こうしておいて、図７に示すように、伸縮側クランプａの回転プラグ１３を回転スティックＳで回転して図中Ｅ方向に約９０度回転させる。こうして、縁回し線３０ｂの端部３１ｂを縁回し線３０の配索方向からずらして、縁回し線３０ａと縁回し線３０ｂとを更に離隔させる。
縁回し線３０ａと縁回し線３０ｂとを振り分けた後、既存の端末キャップを絶縁ヤットコＴで両端部に取り付け、安全を確保する。
以上の手順で、それぞれの相に本電線保持工具を取り付ける。
【００３３】
［縁回し線の接続及び本電線保持工具の取り外し］
端部３１ａ及び端部３１ｂに取り付けた端末キャップを、絶縁ヤットコＴでそれぞれ外す。
次に、スリーブ３２を絶縁ヤットコＴで把持して、縁回し線３０ａの端部３１ａに差し込み、既存の圧縮工具で規定回数の圧縮を行う。
スリーブ３２の端部３１ａへの圧縮完了後、アーム伸縮プラグ１を回転スティックＳで回転し、また、回転プラグ１３を回転スティックＳで回転して、縁回し線３０ｂの端部３１ｂをスリーブ３２に挿入できる位置に合わせる。こうしておいて、図  に示すように、アーム伸縮プラグ１、回転プラグ１３を微調整しながら、スリーブ３２に端部３１ｂを挿入する。
挿入完了後、既存の圧縮工具で規定回数の圧縮を行い、接続を完了する。
接続が完了したら、本電線保持工具のヤットコ把持部６を絶縁ヤットコＴで把持した状態で、固定側プラグ２、伸縮側プラグ１２をそれぞれ回転スティックＳで回転して緩め、縁回し線３０ａ、３０ｂから本電線保持工具を取り外す。
【００３４】
［絶縁カバーの取り付け］
本電線保持工具の取り外しが完了したら、絶縁カバーを絶縁ヤットコＴで接続部に取り付ける。
以上の作業を各相ごとに行い、作業を完了する。
【００３５】
上記の実施形態においては、固定側クランプａ及び伸縮側クランプｂによって縁回し線３０を把持し、また、固定側クランプａと伸縮側クランプｂとを伸縮機構ｃによって接近離隔自在にしている。そのため、縁回し線３０の切断から接続までの一連の作業中において、この電線保持工具によって縁回し線３０を保持しておける。
【００３６】
また、固定側クランプａ及び伸縮側クランプｂは開閉自在なクランプ機構を構成するようにしている。これにより、固定側クランプａ及び伸縮側クランプｂによって縁回し線３０を強固に且つ確実に把持することができる。そのため、切断された縁回し線３０ａ及び３０ｂがその長手方向（縁回し線３０の配索方向）に移動して端部３１ａと端部３１ｂが接触する、あるいは端部３１ａまたは端部３１ｂが他の構造物と接触するような危険を回避することができる。
【００３７】
更に、ウォームホイール１８及びウォーム１９によって伸縮側クランプｃを軸線Ｏ回りに回動できるようにしている。これにより、複雑な装置構成とすることなく、切断された縁回し線３０ｂを、縁回し線３０の配索方向からずらして縁回し線３０ａと確実に離隔させることができる。そのため、縁回し線３０ａ及び３０ｂが活線であっても、端部３１ａと端部３１ｂとを確実に離隔させることができ、端部３１ａと端部３１ｂが接触する、あるいは端部３１ａまたは端部３１ｂが他の構造物と接触するような危険を回避できる。
【００３８】
更に、本電線保持工具を形成する各部材には、樹脂材料を採用している。
これにより、優れた耐候性、電気絶縁性能、機械的強度を確保できるとともに、軽量化を図ることができる。そのため、縁回し線３０ａ、３０ｂがが本電線保持工具を介して導通するような事故を回避できる。
【００３９】
なお、上記の実施形態においては、本発明に係る電線保持工具を６．６ｋＶ架空配電線といった高圧の配電線工事に用いた場合についてのみ説明したが、こうした高圧配電線工事に限らず、低圧配電線工事にも応用できるものである。
また、屋外の架空配電線に限らず、作業者が近寄り難い場所、例えば屋内や狭い場所の配電線にも、遠隔操作により応用できるものである。
更に、間接活線工法に限らず直接活線工法でも使用することができ、直接活線工法で通常二人作業となるところを一人でも作業可能とすることができる。
【００４０】
【発明の効果】
以上説明したように、本発明に係る電線保持工具によれば、電線を保持しておいて電線を切断し、切断された電線の端部同士を接近離隔自在とできるように構成している。このように構成したことにより、電線の切断から接続までの一連の作業中において、この電線保持工具によって電線を確実に保持しておける。そのため、電線の切断及び接続作業において、作業者の安全確保及び負担軽減を図るとともに、他の支持物への防具、取り付け作業が不要となり、作業時間短縮、作業コストの低減を実現することができる。
また、絶縁ヤットコ操作の熟練を要さずに細かな作業の手助けができ、未熟者の作業を補うことができる。そのため、統一的で安定した作業が実現でき、作業者による作業方法のバラツキを無くし、作業効率を向上させることができる。
【００４１】
更に、切断された電線の配索方向をずらすようにして互いに変位可能とできるように構成している。このように構成したことで、切断された電線の端部同士を、電線の配索方向をずらして確実に離隔させることができ、活線のまま切断された電線であっても、電線の端部同士あるいは電線の端部と他の構造物とが接触する危険を回避できる。そのため、電線の切断及び接続作業において、より確実に作業者の安全確保及び負担軽減を図ることができる。
【００４２】
更に、本電線保持工具を形成する各部材の、少なくともこれらの外表面は絶縁性材料により形成されるように構成している。このように構成したことで、切断した電線の端部同士が本電線保持工具を介して導通するような事故を回避でき、作業者の安全確保が図れるとともに、他の構造物に与える悪影響も回避できる。例えば、絶縁性材料の一例として樹脂材料を採用すれば、優れた耐候性、電気絶縁性能、機械的強度を確保できるとともに、軽量化も図ることができ、本電線保持工具の耐久性、信頼性を大幅に向上させることができる。
【図面の簡単な説明】
【図１】  本発明に係る電線保持工具の実施形態を示す図であって、（ａ）は正面図、（ｂ）は側面図である。
【図２】  図１における電線保持工具のＩ−Ｉ線断面矢視図である。
【図３】  図１における電線保持工具のＩＩ−ＩＩ線部分断面矢視図である。
【図４】  図１における電線保持工具の使用状態を示す図であって、電線に電線保持工具を取り付けようとする状態である。
【図５】  図１における電線保持工具の使用状態を示す図であって、切断された電線の端部同士を離隔させている状態である。
【図６】  図１における電線保持工具の使用状態を示す図であって、伸縮側クランプにより電線を把持しようとする状態である。
【図７】  図１における電線保持工具の使用状態を示す図であって、伸縮側クランプにより電線の配索方向を変位させている状態である。
【図８】  図１における電線保持工具の使用状態を示す図であって、切断された電線の端部同士を接近させている状態である。
【図９】  架空配電線工事を行う箇所を示す図であって、（ａ）は電線引留箇所を、（ｂ）は中間切瓶箇所分箇所を示す図である。
【符号の説明】
ａ  固定側クランプ（第１の電線保持部材）
ｂ  伸縮側クランプ（第２の電線保持部材）
ｃ  伸縮機構
１  アーム伸縮プラグ
２  固定側プラグ
３  固定側クランプ駒
４  固定側クランプ本体
５  本体ギヤボックス
６  ヤットコ把持部
７  本体アーム
８  ストロークエンド表示
９  伸縮アーム
１０  伸縮側クランプ本体
１１  伸縮側クランプ駒
１２  伸縮側プラグ
１３  回転プラグ
１４  回転ギヤボックス
１５ａ、１５ｂ  かさ歯車
１６  ねじ棒
１７  雌ねじ
１８  ウォームホイール
１９  ウォーム
【図１】
0004270671.tif 000002
【図２】
0004270671.tif 000003
【図３】
0004270671.tif 000004
【図４】
0004270671.tif 000005
【図５】
0004270671.tif 000006
【図６】
0004270671.tif 000007
【図７】
0004270671.tif 000008
【図８】
0004270671.tif 000009
【図９】
0004270671.tif 000010